(57)【特許請求の範囲】
【請求項１】
ベース基板と、
少なくとも２つの電子部品が配置された構成基板と、
を有し、
前記構成基板の厚さ全体に亘って少なくとも１つの開口が形成され、前記少なくとも１つの開口は、前記少なくとも２つの電子部品の間の空間に形成され、
前記構成基板は、はんだ接合を用いて前記ベース基板に結合された、装置。
【請求項２】
前記少なくとも２つの電子部品のそれぞれは、発光ダイオード素子を有する、請求項１に記載の装置。
【請求項３】
前記少なくとも１つの開口は、前記構成基板の厚さと少なくとも等しい幅を持つ、請求項１又は２に記載の装置。
【請求項４】
前記少なくとも１つの開口は、５０マイクロメートルと３００マイクロメートルとの間の幅を持つ、請求項１乃至３のいずれか一項に記載の装置。
【請求項５】
前記少なくとも１つの開口はスリットを有する、請求項１乃至４のいずれか一項に記載の装置。
【請求項６】
前記構成基板はシリコン基板を有する、請求項１乃至５のいずれか一項に記載の装置。
【請求項７】
前記構成基板の厚さ全体に亘って複数の開口が形成され、前記複数の開口は、前記少なくとも２つの電子部品の間の空間において少なくとも一本の略直線上に配置された、請求項１乃至６のいずれか一項に記載の装置。
【請求項８】
それぞれがはんだ接合により前記ベース基板に結合され、それぞれが発光ダイオード素子のアレイを配置された、構成基板のアレイを有し、各前記構成基板において、前記発光ダイオード素子の間の複数の空間において前記構成基板の厚さ全体に亘り複数の開口が形成された、請求項２に記載の装置。
【請求項９】
請求項１乃至８のいずれか一項に記載の装置を持つ処置光源を有する、パーソナルケア装置。
【請求項１０】
前記パーソナルケア装置は皮膚処置装置又は毛処置装置である、請求項９に記載のパーソナルケア装置。
【請求項１１】
請求項１乃至１０のいずれか一項に記載の装置を製造する方法であって、
ベース基板を備えるステップと、
構成基板を備えるステップと、
前記構成基板上に少なくとも２つの電子部品を配置するステップと、
前記少なくとも２つの電子部品の間の空間において前記構成基板の厚さ全体に亘って少なくとも１つの開口を形成するステップと、
前記構成基板と前記ベース基板との間にはんだ接合を形成するステップと、
を有する方法。
【請求項１２】
前記少なくとも１つの開口を形成するステップは、ウェットプラズマエッチング工程、ドライプラズマエッチング工程、レーザ切断工程、超音波穿孔工程、機械穿孔工程、高圧水穿孔工程又は切断工程、サンドブラスト工程、研磨ウォータージェット加工工程、及び放電加工工程のうち少なくとも１つを用いて前記少なくとも１つの開口を形成するステップを有する、請求項１１に記載の方法。
【請求項１３】
前記はんだ接合を形成するステップは、リフローはんだ付け工程を用いてはんだ接合を形成するステップを有する、請求項１１又は１２に記載の方法。
【請求項１４】
前記少なくとも１つの開口を形成するステップは、リソグラフィー沈着工程又は構成基板を切り取る工程の間に実行される、請求項１１乃至１３のいずれか一項に記載の方法。
【請求項１５】
前記少なくとも２つの電子部品のそれぞれは、発光ダイオード素子を有する、請求項１１乃至１４のいずれか一項に記載の方法。
【発明の詳細な説明】
【技術分野】
【０００１】
本発明は、電子部品を持つ装置、及び更に詳細には、はんだ付け工程を用いて形成される装置に関する。本発明はまた、電子部品を持つ装置を製造する方法に関する。
【背景技術】
【０００２】
電子部品は、多くの技術分野で用いられている。斯かる電子部品は、しばしば装置に組み込まれ、他の電子部品や電子システムにおける電源と接続される。幾つかの装置においては、電子部品は、印刷回路基板（ＰＣＢ）上に形成された電気コネクタ（例えば導電線）を用いて電子部品を力学的に支持し電気的に接続する、ＰＣＢ上に配置され得る。電子部品は、適切な電気的な接続（例えばはんだ付け接合）を用いてＰＣＢ上の電気コネクタに接続されるか、又はそれ自体がＰＣＢにはんだ付けされるか若しく装着され得る中間構成基板に装着されるか若しくは該基板上に形成され得る。
【０００３】
幾つかの場合において、例えば電子部品がＰＣＢにはんだ付けされた中間構成基板上に装着された例においては、リフロー（reflow）はんだ付け工程が用いられ得る。リフローはんだ付けは、粉状のはんだと溶剤との混合物であるはんだペーストの使用を必要とする。はんだペーストは、ともに接続されるべき面（例えば構成基板及びＰＣＢの面）の間に塗布され、これら面を互いに一時的に接着する。これらの集合体（又ははんだペースト）が次いで加熱されて、はんだを溶かし、それにより接続されるべき面の間の永続的な電気的接続を生成する。リフローはんだ付け工程の間、はんだペーストのなかの揮発性の溶媒が脱ガスさせられる。接続されるべき面の間のはんだ接合内に捕捉された気体は、不完全で不均一なはんだ接合をもたらし得、熱的及び電気的な影響をもたらし、電子部品及び該電子部品を有する装置が設置されるべき装置の性能に影響を及ぼし得る。
【発明の概要】
【発明が解決しようとする課題】
【０００４】
電子部品を有する装置が組み込まれ得る装置のタイプの一例は、パーソナルケア装置である。毛処置装置（例えばシェーバ、トリマ、脱毛器及び光脱毛器）、皮膚処置装置及び口腔処置装置のようなパーソナルケア装置はいずれも、ユーザの身体の一部を処置するために用いられる電子部品を含み得る。ここで前述したように電子部品を持つ装置において不完全で不均一なはんだ接合によって装置の性能が影響を受け得る、パーソナルケア装置の特定のタイプは、高エネルギー光パルスを生成するため高強度の発光ダイオードのアレイを備えた処置光源を有する、光脱毛器又はその他の種類の皮膚処置装置である。発光ダイオードと該発光ダイオードが装着されるＰＣＢとの間の不完全で不均一なはんだ接合は、該発光ダイオードにより生成される光強度の低下、及び該発光ダイオードから該ＰＣＢへの熱の伝達の低下に導き得る。低下した光強度は、該装置の処置効率に影響を及ぼし、低下した熱の伝達は、発光ダイオードへの熱的な損傷のリスクを増大させる。
【０００５】
上述したように、電子部品を基板にはんだ付けする工程又は基板をＰＣＢにはんだ付けする工程の間、はんだ接合内に捕捉された気体の生成が、電子部品の最適でない電気的及び熱的接続をもたらし、電子部品の熱的及び／又は電気的特性に影響を及ぼし得る。それ故、電子部品を接続する改善された方法、及び電子部品の改善された接続を持つ装置に対するニーズが存在する。
【課題を解決するための手段】
【０００６】
第１の態様によれば、本発明は、ベース基板と、少なくとも２つの電子部品が配置された構成基板と、を有し、前記構成基板の厚さ全体に亘って少なくとも１つの開口が形成され、前記少なくとも１つの開口は、前記少なくとも２つの電子部品の間の空間に形成され、前記構成基板は、はんだ接合を用いて前記ベース基板に結合された、装置が提供される。
【０００７】
該少なくとも２つの電子部品の間の空間において構成基板に形成された少なくとも１つの開口は、はんだ付け工程の間に、該少なくとも１つの開口を介して、はんだペーストからの揮発性溶媒の容易な脱ガスを可能とする。揮発性溶媒が、はんだ付け工程の間に該少なくとも１つの開口を介して容易に脱ガスすることができるため、はんだ接合内の揮発性溶媒の捕捉が防止又は低減され、はんだ接合の均一性が改善され、ベース基板に対する電子部品の熱的及び電気的接続が改善される。ベース基板ではなく構成基板（例えば印刷回路基板であっても良い）において該少なくとも１つの開口を形成することは、ＰＣＢ及び導電線のようなＰＣＢ上の部品に損傷が引き起こされない点、及び該装置の製造工程においてＰＣＢ上の電子部品を配置する間に該少なくとも１つの開口が該ＰＣＢにおける電子部品の配置を妨げない点において、有利である。更に、該少なくとも１つの開口は、例えばリソグラフィー沈着工程又は構成基板を切り取る工程の間のような、構成基板の製造の工程の間に形成されても良い。このようにして、該少なくとも１つの開口及び該装置全体を形成する工程が、よりコスト効率が良く、効率的なものとなり得る。
【０００８】
本発明による装置の一実施例においては、前記少なくとも２つの電子部品のそれぞれは、発光ダイオード素子を有する。特に、構成基板上に、発光ダイオード素子のアレイが備えられても良い。本実施例においては、構成基板が、該アレイにおける比較的多数の発光ダイオード素子を担持する比各区的大きな面積を持つ場合であっても、構成基板における少なくとも１つの開口が、ベース基板と構成基板との間の均一なはんだ接合を生成することを可能とする。このことは、発光ダイオード素子のアレイに亘る均一な光強度、及び発光ダイオード素子のアレイに亘る発光ダイオード素子とベース基板との間の均一な熱伝導に帰着する。構成基板上に配置された複数の発光ダイオード素子（ＬＥＤ）を持つ装置は、光脱毛装置のようなパーソナルケア装置において用いられ得る。
【０００９】
本発明による装置の一実施例においては、前記少なくとも１つの開口は、前記構成基板の厚さと少なくとも等しい幅を持つ。前記少なくとも１つの開口は、５０マイクロメートルと３００マイクロメートルとの間の幅を持っても良い。本発明による装置の特定の実施例においては、前記少なくとも１つの開口はスリットを有する。該少なくとも１つの開口の形状、幾何及びサイズを適切に選択することにより、はんだ付け工程の間に脱ガスしはんだ接合部から抜け出ることができる気体の量が最適化され得る。
【００１０】
本発明による装置の特定の実施例においては、前記構成基板はシリコン基板を有しても良い。シリコン基板は、例えば接地への共通の電気的接続のような、ベース基板と構成基板上に配置された少なくとも２つの電子部品との間の、共通の電気的接続を形成する。シリコン基板は、該シリコン基板を製造するためのリソグラフィー工程の間の前記少なくとも１つの開口の形成を可能とする。
【００１１】
本発明による装置の更なる実施例においては、前記構成基板の厚さ全体に亘って複数の開口が形成され、前記複数の開口は、前記少なくとも２つの電子部品の間の空間において少なくとも一本の略直線上に配置される。構成基板において複数の開口を利用することにより、はんだ付け工程の間に脱ガスしはんだ接合部から抜け出ることができる気体の量、及びそれにより、構成基板とベース基板との間のはんだ接合の均一性が、増大させられ得る。開口を直線上に又は略直線上に形成することは、開口形成工程を簡素化し、コストを削減し得る。
【００１２】
本発明による装置の更なる実施例においては、該装置は、それぞれがはんだ接合により前記ベース基板に結合され、それぞれが発光ダイオード素子のアレイを配置された、構成基板のアレイを有し、各前記構成基板において、前記発光ダイオード素子の間の複数の空間において前記構成基板の厚さ全体に亘り複数の開口が形成される。本実施例においては、発光ダイオード素子のアレイが配置された各構成基板は、ＬＥＤアレイ要素を形成し、該ＬＥＤアレイ要素のアレイは、光脱毛装置又はその他のタイプの皮膚処置装置における処置光源としての使用に適したものとなり得るＬＥＤアレイを形成する。本実施例においては、各ＬＥＤアレイ要素は、個々のはんだ接合によってベース基板に電気的及び熱的に接続され、該はんだ接合は、ＬＥＤアレイ要素の構成基板の厚さ全体に亘り形成された複数の開口の結果、高い均一性を持つ。斯くして、該ＬＥＤアレイは全体として、均一な光強度及び高い効率を提供する。
【００１３】
第２の態様によれば、本発明は、以上に説明された本発明による装置を持つ処置光源を有するパーソナルケア装置を提供する。該パーソナルケア装置は、毛除去装置又は毛成長低減装置、特に光脱毛装置のような、皮膚処置装置又は毛処置装置であっても良い。
【００１４】
第３の態様によれば、本発明は、本発明による装置を製造する方法であって、ベース基板を備えるステップと、構成基板を備えるステップと、前記構成基板上に少なくとも２つの電子部品を配置するステップと、前記少なくとも２つの電子部品の間の空間において前記構成基板の厚さ全体に亘って少なくとも１つの開口を形成するステップと、前記構成基板と前記ベース基板との間にはんだ接合を形成するステップと、を有する方法を提供する。
【００１５】
本発明による方法により装置を製造することは、少なくとも２つの電子部品の間の空間における構成基板における少なくとも１つの開口の形成が、構成基板とベース基板との間のはんだ接合を形成する後続するステップの間に、該少なくとも１つの開口を介したはんだペーストからの揮発性溶媒の容易な脱ガスを可能とするため、有利である。揮発性の溶媒は、はんだ接合を形成するステップの間に該少なくとも１つの開口を介して容易に脱ガスすることができるため、はんだ接合内の揮発性溶媒の捕捉が防止又は低減され、これによりはんだ接合の均一性が改善され、ベース基板に対する電子部品の熱的及び電気的接続が改善される。本発明による方法の他の利点は、シリコン基板のようなむき出しの構成基板の厚さ全体に亘り少なくとも１つの開口を形成するステップが、種々の導電線及びその他の構成要素を含むＰＣＢのようなベース基板において斯かる開口を形成するよりも、コストが小さいという点である。これに加えて、少なくとも１つの開口が構成基板に形成される場合、はんだ接合を形成するステップの直前のベース基板に対する構成基板の整列が、かなり容易となる。
【００１６】
本発明による方法の一実施例においては、前記少なくとも１つの開口を形成するステップは、ウェットプラズマエッチング工程、ドライプラズマエッチング工程、レーザ切断工程、超音波穿孔工程、機械穿孔工程、高圧水穿孔工程又は切断工程、サンドブラスト工程、研磨ウォータージェット加工工程、及び放電加工工程のうち少なくとも１つを用いて前記少なくとも１つの開口を形成するステップを有する。
【００１７】
本発明による方法の更なる実施例においては、前記はんだ接合を形成するステップは、リフローはんだ付け工程を用いてはんだ接合を形成するステップを有する。リフローはんだ付け工程は、一般にはんだ付け工程の間にはんだペーストからの脱ガスを引き起こさせられ、少なくとも１つの開口を介して出ていくことができるような、揮発性溶媒として用いられても良い。
【００１８】
本発明による方法の更に他の実施例においては、前記少なくとも１つの開口を形成するステップは、リソグラフィー沈着工程又は構成基板を切り取る工程の間に実行される。少なくとも１つの開口を形成するステップを、構成基板の製造を含む他の工程と組み合わせることにより、製造コストが維持され、製造工程の効率が最適化され得る。
【００１９】
本発明による方法の更なる実施例においては、前記少なくとも２つの電子部品のそれぞれは、発光ダイオード素子を有する。特に、発光ダイオード素子のアレイが、前記構成基板に配置されても良い。本実施例においては、構成基板が、アレイにおいて比較的多数の発光ダイオード素子を担持する比較的大きな表面積を持つ場合であっても、該構成基板における少なくとも１つの開口が、ベース基板と構成基板との間の均一なはんだ接合を生成することを可能とする。このことは、発光ダイオード素子のアレイに亘る均一な光強度、及び発光ダイオード素子のアレイに亘る発光ダイオード素子とベース基板との間の均一な熱伝導に帰着する。
【００２０】
本発明の他の特徴は、本発明による装置及び方法の好適な実施例を以下の説明から明らかとなるであろう。
【００２１】
本発明の更なる理解のため、及び本発明がどのように実行されるかを更に明確に示すため、単に例としてのみ、添付図面への参照が為される。
【図面の簡単な説明】
【００２２】
【図１】それぞれが電子部品を配置されベース基板に接続された複数の構成基板を持つ本発明による装置の一例の模式的な図である。
【図２】電子部品を配置された図１の装置の構成基板の１つの一例の模式的な図である。
【図３】ベース基板に接続され電子部品が配置された構成基板を持つ本発明による装置の一例の模式的な図である。
【図４】本発明によるパーソナルケア装置の一例の図である。
【図５】図３の装置のような本発明による装置を製造する本発明による方法の一例のフロー図である。
【図６】図４のパーソナルケア装置のような本発明によるパーソナルケア装置を製造する方法の一例のフロー図である。
【発明を実施するための形態】
【００２３】
上述したように、幾つかのはんだ付け工程の間、はんだ物質のなかに気体が生成されて、該気体がはんだ接合のなかに閉じ込められ、斯くしてはんだ接合が不均一に形成されることをもたらし、該はんだ接合により電気的に接続された電子部品及び該電子部品が中に装着された装置の不完全な機能に導くことがあり得る。比較的小さな占有面積（即ち比較的小さなはんだ付けされるべき接触面積）を持つ電子部品が基板にはんだ付けされる場合には、はんだ付け工程の間に形成された気体は、該電子部品の側面に沿って脱出することが可能であり得る。しかしながら、はんだ付け工程が比較的大きな電子部品を接続するために用いられる場合、又は電子部品が配置された構成基板を接続するために用いられる場合、該電子部品又は構成基板の側面に沿って気体が脱出することができず、はんだ接合に閉じ込められることとなり得る。それ故本発明者は、はんだ付けされる面間のはんだ接合に、気体が閉じ込められない、又は最小限の量の気体しか閉じ込められないように、はんだ付け工程が実行されることができるようにする方法を提案する。
【００２４】
本発明は、広範な技術に適用され得るが、ここで議論される本発明が適用され得る技術の分野の一例は、パーソナルケア装置の分野である。具体的には、本発明は、例えば光脱毛器としても知られるＩＰＬ（intense pulsed light）装置、又はその他のタイプの処置光源を持つ皮膚処置装置のような、毛除去又は毛成長低減装置の分野において用途を見出し得る。既知の光脱毛器は、毛を処置するための光の高強度のパルスを生成するために、キセノン閃光電球のような高強度の光源を用いるが、発光ダイオード（ＬＥＤ）を用いて処置光パルスを生成することが提案されてきている。斯かる構成においては、例えば基板（ここでは構成基板又はＬＥＤアレイ基板と示される）上に複数のＬＥＤ素子がアレイ状に配置され、該基板が次いで、はんだ接合を用いて、印刷回路基板（ＰＣＢ）のようなベース基板に装着されても良い。ＬＥＤ素子のアレイが配置された該構成基板は、配置された個々のＬＥＤ素子に比べて、比較的大きなものとなり得る。それ故、構成基板とベース基板との間にはんだ接合を形成する工程の間にはんだ物質に形成された気体は、はんだ接合に閉じ込められることとなり得る。
【００２５】
図面を参照すると、図１は、本発明による装置１００の模式的な図を示している。装置１００は、パーソナルケア装置のような装置における使用のための装置、特に処置光源であっても良い。装置１００は、本例においては印刷回路基板（ＰＣＢ）である、ベース基板１０２を含む。複数の構成基板１０４が、はんだ接合を用いて、それぞれベース基板１０２に装着される。例えば、各構成基板１０４は、リフローはんだ付け工程によって形成された個々のはんだ接合により、ベース基板１０２に装着されても良い。本例においては、各構成基板１０４は、該基板上に配置された電子部品１０６のアレイを持ち、これらアレイが、以下に議論されるように、構成基板１０４に装着されるか又は構成基板１０４上に形成されても良い。構成基板１０４と該基板上に配置された電子部品１０６のアレイとの組み合わせは、「構成基板要素」と示され得る。図１に示された例においては、各電子部品１０６は、ＬＥＤタイルのような発光ダイオード（ＬＥＤ）素子を有し、部品アレイ要素は、「ＬＥＤアレイ要素」を構成する。図示された例においては、９個の構成基板１０４が、ベース基板１０２に装着され、各構成基板１０４は、該基板上に配置された９個の電子部品（例えばＬＥＤタイル）１０６を持つ。ベース基板１０２の形状、構成基板１０４の数及び配置、並びに構成基板１０４のそれぞれにおける電子部品１０６の数及び配置は、図１の例において示されたものとは異なっても良いことは、理解されるであろう。同様に、本例における電子部品１０６はＬＥＤタイル１０６を有するが、本発明の他の例においては、電子部品１０６は他のいずれのタイプのものであっても良い。
【００２６】
幾つかの例においては、電子部品１０６は、構成基板１０４上に物質がリソグラフィー的に堆積させられる工程の一部として、構成基板１０４上に形成されても良い。構成基板１０４上への電子部品１０６の形成の当該方法は、特にＬＥＤ素子を有する図１の例において用いられ得る。他の例においては、電子部品１０６は、構成基板１０４上に形成されても良いし、又は他の既知の手法を用いて構成基板１０４上に接続、載置、装着若しくは配置されても良い。
【００２７】
構成基板１０４は、いずれの適切な材料から形成されても良い。例えば、構成基板１０４は、シリコンから形成されても良い。構成基板１０４上に配置された各電子部品１０６は、図示されていない例えば金の配線による別個の電気的な接続によって、個別にアドレスされても良い。構成基板１０４上の全ての電子部品１０６は、図１の例においては構成基板１０４によって、共通の電気的な接地接続を共有しても良い。
【００２８】
図２は、図１に示された装置１００の１つの構成アレイ要素２００（即ち電子部品１０６のアレイが配置された構成基板１０４）の模式的な図を示す。図２における構成基板１０４は、該基板を貫通する複数の開口２０２を持つ。これら開口は、図１には明確には示されていない。開口２０２は貫通穴であり、図３に明確に示されているように、該開口を通して、構成基板１０４の一方の主側から反対側の主側への通路を形成する。換言すれば、開口２０２は、構成基板１０４の厚さｔ全体を通って延在する。図２の例においては、構成基板１０４は該基板を通る２８個の開口を含むが、他の例において形成される開口の数は、より多くても良いし又は少なくても良い。例えば、構成基板１０４を通る単一の開口のみが形成されても良い。
【００２９】
開口２０２は、電子部品１０６間の空間に形成される。即ち、開口２０２は、電子部品１０６間の領域において構成基板１０４を通って形成される。このようにして、電子部品１０６により占有されない構成基板１０４の領域に開口２０２が形成され、それ故開口２０２の位置は電子部品１０６の機能に悪影響を与えない。開口２０２は、図２に示された例におけるように、電子部品１０６間の空間において中央に配置される必要はない。幾つかの例においては、開口２０２は、隣接する電子部品より特定の電子部品１０６の近くに配置されても良い。
【００３０】
図示された例においては、開口２０２は、電子部品１０６間において直線上に又は略直線上に形成されている。当該配置で開口を形成することは、製造効率の点で利益をもたらし得る。しかしながら、代替として開口２０２は他の何らかの態様で配置されても良いことは、理解されるであろう。
【００３１】
図３は、図１の装置１００の一部の断面図を示す。図３に示される装置１００は、ベース基板１０２及び構成基板１０４を有する。構成基板１０４は、該基板上に配置された少なくとも２つの電子部品１０６を持つ。該構成基板の厚さ全体を通して、少なくとも１つの開口２０２が形成される。図３に示された例においては、該構成基板は厚さｔを持つ。少なくとも１つの開口２０２は、少なくとも２つの電子部品１０６の間の空間に形成される。構成基板１０４は、はんだ接合３０２によりベース基板１０２に結合される。
【００３２】
電子部品１０６の間の空間の位置において、構成基板１０４に開口２０２を形成することにより、開口２０２は、電子部品１０６の熱的又は電気的な態様に干渉する又は悪影響を与えないことを確実にするよう、正確に位置決めされることができる。例えばベース基板１０２ではなく構成基板１０４に開口２０２を形成する更なる利点は、構成基板１０４とベース基板１０２との間の電気的な接続が悪影響を受けないことである。更に、開口２０２は、例えばベース基板（例えばＰＣＢ）１０２ではなく構成基板１０４に形成されるため、開口２０２は、例えば個々の構成基板１０４が、より大きなウェハから切り出される（即ち切断される）間に、製造工程において早期に生成され得る。構成基板１０４において開口２０２を生成する工程を、例えば構成基板１０４をウェハから切り出すことのような該基板の製造工程と組み合わせることにより、装置１００の全体の製造工程が簡素化され、製造コストが削減される。
【００３３】
上述したように、リフローはんだ付け工程のようなはんだ付け工程が、構成基板１０４をベース基板１０２に装着するために用いられる場合、はんだ接合３０２を形成するためのはんだ付け工程の間に、はんだ物質における揮発性溶媒の脱ガスが生じ得る。構成基板１０４を通る開口２０２は、はんだ物質から脱ガスした揮発性溶媒が、はんだ付け工程の間にはんだ接合３０２から抜け出すための通路を提供する。このようにして、構成基板１０４とベース基板１０２との間のはんだ接合３０２にトラップされる気体の量が低減され、はんだ接合３０２の均一性が影響を受けない（即ち低減される）か又は最小限の量しか影響を受けない。図３において、矢印は、はんだ付け工程の間に気体が流れはんだ接合３０２から抜け出す、とり得る方向を示す。
【００３４】
少なくとも１つの開口２０２は、幾つかの実施例においては、少なくとも２つの電子部品１０６の間の空間に嵌合することが可能となるよう、可能な限り大きく形成されても良い。このことは、はんだ付け工程の間にはんだ接合３０２に生成された気体が開口２０２を介して抜け出ることが可能となる見込みを増大させる。幾つかの実施例においては、少なくとも１つの開口２０２は、構成基板１０４の厚さｔに少なくとも等しい幅を持つ。ここでもまた、このことははんだ付け工程の間に気体が抜け出す見込みを増大させるが、構成基板１０４の構造的な完全性を確実にする。勿論、少なくとも２つの電子部品１０６間の空間が比較的大きい実施例においては、開口２０２の幅は比較的大きくても良く、少なくとも２つの電子部品１０６間の空間が比較的小さい実施例においては、開口２０２の幅は比較的小さくても良い。幾つかの実施例においては、少なくとも１つの開口２０２は、５０マイクロメートルと３００マイクロメートルとの間の幅を持っても良い。幾つかの実施例においては、少なくとも１つの開口２０２の幅は、５０マイクロメートルと２００マイクロメートルとの間、又はより好適には５０マイクロメートルと１００マイクロメートルとの間であっても良い。従って、構成基板１０４は、対応する５０マイクロメートルと３００マイクロメートルとの間、より好適には５０マイクロメートルと２００マイクロメートルとの間、更に好適には５０マイクロメートルと１００マイクロメートルとの間の幅を持っても良い。
【００３５】
開口２０２は、いずれの適切な形状のものであっても良い。製造の容易さのため、少なくとも１つの開口２０２は、略円形の断面を有しても良い。本実施例においては、構成基板１０４を通る、略円筒形の貫通穴が形成され得る。幾つかの実施例においては、少なくとも１つの開口２０２は、スリットを有しても良い。スリットの形をとる少なくとも１つの開口２０２を形成することは、はんだ付け工程の間にはんだ接合３２０から気体が通って抜け出すことが可能である大きな領域がある点において、円形の開口に比べて有利となり得る。
【００３６】
上述したように、構成基板１０４は、シリコン基板を有しても良い。比較的薄いシリコン基板は、特に脆弱であり、損傷に弱いものとなり得ることが知られている。それ故、シリコン基板はしばしば、より強く耐久性のあるものとなり得る、それ故シリコン基板又は該基板に装着された部品に対して損傷を引き起こすことなく取り扱うことが容易なものとなり得る、集積回路パッケージを形成するようパッケージングされる。パッケージングされると、構成基板（即ちシリコン基板）に開口を形成することは困難である。しかしながら本発明においては、構成基板１０４は剥き出しでパッケージングされていない基板であり、それ故構成基板１０４に開口２０２を形成することが可能であり、ベース基板１０２に開口２０２を形成するよう試みる必要はない。
【００３７】
図面に示された実施例のような幾つかの実施例においては、複数の開口２０２は、構成基板１０４の厚さ全体を通って形成されても良い。上述したように、複数の開口２０２は、少なくとも１本の直線又は略直線に配置されても良い。複数の開口２０２が構成基板１０４を通って形成される幾つかの実施例においては、開口２０２は種々の形状及び／又はサイズを持っていても良い。例えば、複数の開口２０２のうち１つ以上が円形であり、該複数の開口のうち１つ以上がスリットとして形成されても良い。構成基板１０４における特定の位置において形成されるべき開口２０２のサイズ及び／又は形状の選択は、構成基板１０４上にある又は構成基板１０４上に形成若しくは装着されるべき電子部品１０６の性質（例えばサイズ、形状及び数）に基づくものであっても良い。
【００３８】
以上に議論された装置１００は、種々の態様で実装され得る。本発明の一態様によれば、装置１００は、図４に示されたパーソナルケア装置４００のようなパーソナルケア装置に組み込まれても良い。パーソナルケア装置４００は、ユーザの皮膚の或る領域からの毛を取り除く又は毛の成長を妨げるため、皮膚の当該領域に高強度パルス光を発する光脱毛器である。しかしながら、装置１００は他のタイプのパーソナルケア装置にも組み込まれ得ることは、理解されるであろう。
【００３９】
パーソナルケア装置４００は、図１に単に模式的に示されている、処置光源４０４を有する。処置光源４０４は、以上に議論され図１及び３に示されたように、ＬＥＤアレイ素子のアレイを有する装置１００を有する。特に、図１、２及び３に示されるように、処置光源４０４は、それぞれがはんだ接合３０２によりベース基板１０２に接続され、それぞれが発光ダイオード素子（又はＬＥＤタイル）の形をとる電子部品１０６のアレイを配置された、構成基板１０４のアレイを有し、各構成基板１０４において、複数の開口２０２は、発光ダイオード素子の間の複数の空間において構成基板１０４の厚さ全体を通る複数の開口２０２が形成されている。パーソナルケア装置４００は、幾つかの実施例においては、毛の成長を低減させる又は防止する毛処置装置であって良い。幾つかの実施例においては、パーソナルケア装置４００は更に、ハンドル部４０２又はユーザによって保持されるのに適したサイズの筐体を有しても良い。パーソナルケア装置４０２は勿論、図４に示されていない他の特徴及び構成要素を含んでも良い。例えば、該パーソナルケア装置は、該装置の他の構成要素を含む筐体アセンブリを有しても良い。該筐体アセンブリは、ハンドル部４０２を有しても良い。筐体アセンブリが装置１００を収容しても良いし、又は装置１００が当業者には一般的な態様で筐体アセンブリへと組み立てられても良い。使用時には、皮膚の一部が処置光源４０４にさらされるよう、ユーザが該ユーザの手でハンドル部４０２を保持しても良い。
【００４０】
本発明の他の態様は、装置１００のような本発明による装置を製造する方法に関する。図５は、装置１００を製造する本発明による方法５００の一例のフロー図である。方法５００は、ステップ５０２において、ベース基板１０２を備えるステップを有する。該ベース基板は、ＰＣＢを有しても良い。ステップ５０４において、方法５００は、構成基板１０４を備えるステップを有する。幾つかの例においては、構成基板１０４はシリコン基板を有しても良い。方法５００は、ステップ５０６において、少なくとも２つの電子部品１０６を構成基板１０４に配置するステップを有する。電子部品１０６は、幾つかの例においては、構成基板１０４上に形成又は構築されても良い。ステップ５０８において、該方法は、少なくとも２つの電子部品１０６の間の空間において、構成基板１０４の厚さ全体を通る少なくとも１つの開口２０２を形成するステップを有する。
【００４１】
方法５００は、ステップ５１０において、構成基板１０４とベース基板１０２との間にはんだ接合３０２を形成するステップを有する。ステップ５０２乃至ステップ５１０は、図５において特定の順序で表されているが、方法５００のステップは異なる順序で実行されても良いことは明らかであろう。例えば、少なくとも１つの開口を形成するステップ（ステップ５０８）は、構成基板１０４に少なくとも２つの電子部品を配置するステップ（ステップ５０６）に先立って実行されても良い。
【００４２】
本発明による方法の幾つかの実施例においては、ステップ５１０において、以上に概説されたように、リフローはんだ付け工程を用いてはんだ接合が形成されても良い。
【００４３】
少なくとも２つの電子部品１０６のそれぞれは、幾つかの実施例においては、発光ダイオード（ＬＥＤ）素子を有する。
【００４４】
少なくとも１つの開口は、幾つかの態様で形成され得る（ステップ５０８）。幾つかの実施例においては、該少なくとも１つの開口は、ウェットプラズマエッチング工程、ドライプラズマエッチング工程、レーザ切断工程、超音波穿孔工程、機械穿孔工程、高圧水穿孔工程又は切断工程、サンドブラスト工程、研磨ウォータージェット加工工程、及び放電加工工程のうち少なくとも１つを用いて形成されても良い。構成基板１０４を通る開口２０２を生成する他の好適な方法が利用されても良く、斯かる方法は当業者には一般的であろう。
【００４５】
少なくとも１つの開口２０２を形成するステップ５０８は、リソグラフィー沈着工程又は構成基板１０４を切り取る工程の間に実行されても良い。換言すれば、少なくとも１つの開口２０２は、材料が構成基板１０４にリソグラフィー的に沈着させられる間に形成されても良い。このようにして、開口２０２は、構成基板１０４又は構成基板１０４上の部品の他の特徴をも形成する工程において形成されることができ、構成基板１０４の製造工程を簡略化する。更に、リソグラフィー沈着工程は、構成基板１０４がベース基板１０２に装着される前に実行されるため、斯かるリソグラフィー沈着工程によって開口２０２を形成することにより、構成基板１０４を取り扱い操作することが容易となり得る。斯くして、装置１００の他のいずれの要素に対しても、損傷が引き起こされるリスクが低くなる。
【００４６】
本発明の更なる態様は、本発明によるパーソナルケア装置を製造する方法に関する。図６は、図４に示されたパーソナルケア装置４００のようなパーソナルケア装置を製造する方法６００の例のフロー図である。方法６００は、ステップ６０２において、以上に議論された方法５００により装置１００を製造するステップを有する。ステップ６０４において、方法６００は、パーソナルケア装置４００の筐体アセンブリに装置１００を組み立てるステップを有する。
【００４７】
図面、説明及び添付される請求項を読むことにより、請求される本発明を実施化する当業者によって、開示された実施例に対する変形が理解され実行され得る。請求項において、「有する（comprising）」なる語は他の要素又はステップを除外するものではなく、「１つの（a又はan）」なる不定冠詞は複数を除外するものではない。単一のプロセッサ又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。請求項におけるいずれの参照記号も、請求の範囲を限定するものとして解釈されるべきではない。
【図１】
0006741886.tif 000002
【図２】
0006741886.tif 000003
【図３】
0006741886.tif 000004
【図４】
0006741886.tif 000005
【図５】
0006741886.tif 000006
【図６】
0006741886.tif 000007